(57)【特許請求の範囲】
【請求項１】
基盤に固定素子を打ち込むための打込み機であって、ハウジング（１１）と、駆動体案内部（１２）内で移動可能に案内された駆動体（１３）と、開口部（１４）に配置されたピン案内部（１５）と、結合手段により前記ハウジング（１１）に解除可能に固定可能な、固定素子のためのマガジン（２０）とを備え、該マガジンが、前記開口部（１４）に向いている方の端部に設けられた結合部分（２１）によって前記開口部（１４）に取り付け可能である打込み機において、
前記結合手段が、前記マガジン（２０）と前記ハウジング（１１）との間に作用する係止ロック（３０）を有しており、該係止ロック（３０）が、係止位置（３５）に移行可能な係止部（３３）と対向係止部（３４）とを有し、係止ロック（３０）が、前記係止位置（３５）で前記マガジン（２０）を前記開口部（１４）に対して押圧することを特徴とする打込み機。
【請求項２】
請求項１に記載の打込み機において、
前記係止ロック（３０）が、少なくとも部分的に前記マガジン（２０）の長手方向に沿って移動可能な、かつ少なくとも１つの弾性素子（３２）により負荷されたスライダ（３１）を有し、該スライダ（３１）が係止部（３３）を備え、前記弾性素子（３２）により負荷された前記スライダ（３１）が、係止位置（３５）で前記マガジン（２０）を前記開口部（１４）に対して押圧する打込み機。
【請求項３】
請求項１または２に記載の打込み機において、
前記スライダ（３１）が、前記マガジン（２０）に配置されており、少なくとも１つの弾性素子（３２）により、前記マガジン（２０）の前記結合部分（２１）から離れる方向に弾性的に負荷されており、前記係止部（３３）が、前記スライダ（３１）において前記結合部分（２１）に向いておらず、かつハウジング（１１）に向いている端部に配置されており、対向係止部（３４）が、前記ハウジング（１１）に配置されている打込み機。
【請求項４】
請求項１に記載の打込み機において、
別の結合手段が、前記開口部（１４）と前記マガジン（２０）との間に設けられており、前記結合手段が、前記マガジン（２０）において前記ハウジング（１１）に向いていない側に旋回軸線（Ｓ）を有する旋回支承部（１７）を備え、前記旋回軸線（Ｓ）が、前記開口部（１４）の外部、かつ前記マガジン（２０）の外部に、前記ピン案内部（１５）とマガジン（２０）とによって定められる面（Ｅ）に対して直角に位置している打込み機。
【請求項５】
請求項４に記載の打込み機において、
前記旋回支承部（１７）が、結合部分（２１）に湾曲された支持面（２２）を有し、かつ前記開口部（１４）に相補的に湾曲された対向支持面（１９）を有している打込み機。
【請求項６】
請求項５に記載の打込み機において、
前記支持面（２２）が凹状に湾曲されており、前記対向支持面（１９）が凸状に湾曲されている打込み機。
【請求項７】
請求項５または６に記載の打込み機において、
前記支持面（２２）と前記対向支持面（１９）とが、それぞれ最小２５°から最大１８５°までの円弧角度(α１，α２)にわたって形成されている打込み機。
【発明の詳細な説明】
【技術分野】
【０００１】
本発明は、基盤に固定素子を打ち込むための打込み機において、特にハウジングと、駆動体案内部内で移動可能に案内された駆動体と、開口部に配置されたピン案内部と、結合手段によりハウジングに解除可能に固定可能な、固定素子のためのマガジンとを備え、マガジンが、開口部に向いている方の端部に設けられた結合部分によって前記開口部に取り付け可能である打込み機に関する。この形式の打込み機は、固体状、ガス状または液状燃料により、圧縮空気または電気エネルギを用いて作動させることができる。
【背景技術】
【０００２】
打込みピストンまたはプランジャのような駆動体が固定素子を基盤に打ち込むこのような打込み機では、駆動体が固定素子の方向に加速される。燃料作動式の打込み機では、駆動体は、例えば燃料ガスにより駆動される。駆動体に作用する圧力により、駆動体は固定素子の方向に加速され、この固定素子に衝突し、これを基盤内に打ち込む。この場合、固定素子は、打込み機の開口部の領域に配置されたマガジン内に保管しておくことができる。
【０００３】
ドイツ国特許第３３３７２７８号明細書により、固定素子を打ち込むための駆動体を有する手持ち式打込み機が公知である。この打込み機のハウジングには、開口部の領域に、固定素子のためのマガジンが結合手段により固定されており、マガジンは旋回点を中心としてばねの力に抗して旋回可能になっている。
【０００４】
しかしながら、打込み機のハウジングにマガジンが旋回可能に配置されている構成は、マガジン内に粒子などの異物が不都合に進入することを可能にしてしまい、固定素子の送りを妨げかねないという欠点を有する。さらにハウジングにマガジンを取り付けるのに手間がかかる。
【先行技術文献】
【特許文献】
【０００５】
【特許文献１】ドイツ国特許第３３３７２７８号明細書
【発明の概要】
【発明が解決しようとする課題】
【０００６】
本発明の課題は、前記形式の打込み機において、上述した欠点を回避し、マガジンをハウジングに簡単に取り付け、ハウジングに対してできるだけ密閉することを可能にし、これにより、マガジン内に異物が進入しにくいものを提案することである。
【課題を解決するための手段】
【０００７】
本発明の課題は、請求項１に記載の特徴を有する打込み機により解決される。これによれば、結合手段が、マガジンとハウジングとの間に作用する係止ロックを有している。この係止ロックは、係止位置に移動可能な係止部と対向係止部とを有しており、係止ロックは、係止位置ではマガジンを開口部に対して押圧する。これにより、マガジンは素早く組付け可能となる。なぜなら、係止ロックとして構成された結合手段は、スナップ結合の形式で、マガジンの圧着時に打込み機のハウジングに対して自動的にスナップ固定され、マガジンをハウジングに結合するからである。
【０００８】
同時に、開口部または開口部に配置されたピン案内部に対してマガジンを圧着することにより、開口部またはピン案内部とマガジンの結合部分との間に密着結合が得られる。この場合にマガジンと開口部との間の接合部は密閉されている。したがって、マガジンが開口部に配置された状態では、案内通路の開口を介してマガジン内に粒子が入り込むことも、マガジンに向けて開口したピン案内部内へ異物が到達することもない。さらに、打込み機を誤って落下させてしまった場合、係止ロックを解除することもでき、マガジンを少なくとも部分的に打込み機から外すことができることは特に有利であり、これにより、構成部材破損の危険性を減じることができる。
【０００９】
有利には、係止ロックは、少なくとも部分的にマガジンの長手方向に沿って移動可能であり、かつハウジングまたはマガジンのいずれか一方の部分に、少なくとも１つの弾性素子により負荷されたスライダを有している。このスライダは係止部を有し、この場合、弾性素子により負荷されたスライダは係止位置でマガジンを開口部に対して押圧する。少なくとも部分的にマガジンの長手方向に移動可能なスライダにより、開口部に対してマガジンの比較的高い圧着力が得られる。この場合、対向係止部は、ハウジングまたはマガジンの他方の部分に配置されている。
【００１０】
本発明の有利な構成では、スライダはマガジンに配置されており、少なくとも１つの弾性素子によりマガジンの結合部分から離れる方向に弾性的に負荷される。この場合に係止部は、結合部分に向いていない、スライダのハウジング側端部に配置されており、対向係止部はハウジングに配置されている。このような手段により、両手で簡単に操作してマガジンを打込み機から取り外すことが可能である。この場合、使用者は一方の手で打込み機を保持し、かつ他方の手でマガジンを把持し、同時にスライダを操作して係止ロックを解除する。
【００１１】
スライダは、代替的には打込み機のハウジングに配置されていてもよい。
【００１２】
さらに有利には、開口部とマガジンとの間に別の結合手段が設けられており、この結合手段は、マガジンにおいてハウジングに向いていない方の側に旋回軸線を有する旋回支承部を備えている。この場合に、旋回軸線は開口部の外部で、かつマガジンに外部に、ピン案内部とマガジンとによって定められる面に対して直角に位置する。これにより、打込み機の旋回支承部を中心としてマガジンを単純に旋回させることにより、打込み機の開口部およびハウジングにマガジンを取り付けることが可能となる。開口部の外部、かつマガジンの外部に位置する旋回軸線により、衝突させることなしに、開口部に完全に整列されるようにマガジンを旋回させることができる。
【００１３】
旋回支承部が、結合部分に湾曲された支持面を有しており、開口部に相補的に湾曲された対向支持面を有している場合にも好都合である。好ましくは、この場合に湾曲された支持面および湾曲された対向支持面の曲率半径は等しい。これにより、両方の支持部相互の簡単な取付け、ひいては開口部へのマガジンの簡単な取付け、および旋回工程における良好な旋回が可能となる。さらに、最大限に大きい接触面を得ることが可能となり、これにより、低い面圧を得ることができる。衝撃または打撃は、旋回支承部によってより良好に吸収される。
【００１４】
有利な構成では、支持面は凹状に、かつ対向支持面は凸状に湾曲されており、これにより、開口部にマガジンを取り付けた後に、マガジンを打込み機のハウジングに対して旋回させることが可能となる。
【００１５】
支持面と対向支持面とが、それぞれ最小２５°から最大１８５°までの円弧角度α１，α２にわたって形成されている場合には、旋回支承部が最適に調整される。
【発明の効果】
【００１６】
上記のように構成した本発明の打込み機により、従来技術の欠点を回避し、マガジンをハウジングに簡単に取り付けることができ、ハウジングに対してできるだけ密閉され、マガジン内に汚物が進入しにくい打込み機が得られる。
【００１７】
次に図面につき本発明の実施例を説明する。
【図面の簡単な説明】
【００１８】
【図１】固定素子のためのマガジンを有する本発明による打込み機の開口領域の部分断面図である。
【図２】マガジンが打込み機のハウジングから部分的に解除された位置にある図１による打込み機の開口領域の部分断面図である。
【図３】マガジンが打ち込み機の開口部およびマガジンから解除された位置にある本発明による打込み機の開口領域の部分断面図である。
【発明を実施するための形態】
【００１９】
図１、図２および図３は、手持ち式打込み機１０の開口領域を示している。この打込み機１０は、例えば、電気または燃料作動式であり、ハウジング１１内に配置された打込み機構を有している。この打込み機構は、打込みピストンとして構成された駆動体１３を備え、駆動体１３は、駆動体案内部１２内を移動可能に案内されている。図１〜図３には、駆動体１３が、打込み準備の整った出発位置で示されている。
【００２０】
駆動体案内部１２に対して同軸的に延在するピン案内部１５が、打込み機１０の開口部１４に配置されている。ピン案内部１５は、ハウジング１１に向いていない遊端により加工部品に当て付けることができる。この場合、ピン案内部１５は、図１に示した固定素子５０を収容および案内し、かつ駆動体１３の固定素子打込み端部を案内する役割を果たす。この場合、ピン案内部１５内に位置する固定素子５０は、打込み工程でピン案内部１５の遊端に向けて移動する駆動体１３により、加工部品（図示しない）内に打ち込まれる。
【００２１】
開口部１４から側方に突出する、全体に符号２０を付すマガジンが打込み機１０に解除可能に配置されている。マガジン２０内には固定素子５０のための案内通路２４が配置されており、この案内通路２４はピン案内部１５に向けて開口しており、これにより、図１からわかるように、マガジン２０が打込み機１０に固定された状態で、案内通路２４からピン案内部１５内へ固定素子５０を搬送することが可能となる。開口部１４に向いた端部に、マガジン２０は、結合部材として構成された結合部分２１を有しており、この結合部分２１は、第１狭幅側２５に凹状の支持面２２を有しており、この支持面２２は、開口部１４の支持ラック１８に設けられた凸状の対向支持面１９と共に旋回支承部１７を形成している。この旋回支承部１７の旋回支承軸線Ｓは、開口部１４の外部、かつマガジン２０の外部に、ピン案内部１５とマガジン２０とによって画定される面に対して直角に延在している。支持面２２および対向支持面１９は、相補的に湾曲されており、最小２５°から最大１８５°までの円弧角度α１，α２にわたって形成されており、これにより、面相互の最適な案内が保証される。この場合、旋回支承部１７は、マガジン２０においてハウジング１１に向いていない方の側に配置されている。
【００２２】
旋回支承部１７により、マガジン２０は駆動体１３の打込み方向、および、ピン案内部１５の長手方向に対して垂直方向に、開口部１４に対して支持されている。
【００２３】
結合部分２１およびマガジン２０の第１狭幅側２５に設けられた凹状の支持面２２は、結合部分２１およびマガジン２０の第２狭幅側２６の向かい側に配置されている。第２狭幅側２６における結合部分２１の領域にはストッパＡが配置されている。このストッパＡは、打込み機１０にマガジン２０が固定された状態では開口部１４のエッジに当接しており、このストッパＡにより、マガジン２０は駆動体１３の打込み方向とは反対方向に開口部１４に対して支持されている。第２狭幅側２６におけるマガジン本体の領域には、さらに係止ロック３０のスライダ３１が、少なくとも部分的に真っ直ぐに延在するマガジン２０の長手方向に沿って限定的にスライド可能に配置されている。この場合、スライダ３１は少なくとも１つの弾性素子３２、例えばばね素子により、マガジン２０の結合部分２１から離れるスライド方向に弾性的に負荷されている。スライダ３１は、結合部分２１に向いていない方の端部領域に係止部３３を有している。係止ロック３０の係止部３３は、図１に見られるように、ハウジング１１に設けられた対向係止部３４との係止位置３５に移行可能である。この係止位置３５で、マガジン２０は、係止ロック３０と旋回支承部１７との組み合わせにより、打込み機１０に確実に固定されている。弾性的に負荷されたスライダ３１によって、マガジン２０はピン案内部１５に対して垂直方向に負荷されるか、または開口部１４に向けて押圧され、これにより、開口部１４またはピン案内部１５と、マガジン２０の結合部２１との間の接合部２３を密に閉鎖する。マガジン２０が開口部にこのように配置された状態では、微粒子が案内通路２４の開口を介してマガジン２０内に、またマガジン２０に向けて開いたピン案内部１５内に到達することはできない。
【００２４】
開口部１４からマガジン２０を取り外すためには、スライダ３１が少なくとも１つの弾性素子３２の力に抗して、図１に破線で示したスライダ３１により示すように、手動で矢印７０の方向にロック解除位置３６に移動される。係止部３３と対向係止部３４との間の係止結合のこのような解除によりマガジン２０が開口部１４から完全に外れ、自由になるまで、開口部分１４の外部、かつマガジン２０の外部に位置する仮想旋回軸線Ｓを有する旋回支承部１７を中心として、旋回矢印７１（図２および図３参照）の方向にマガジン２０を旋回させることができる。マガジン２０を打込み機１０に組み付けるためには、係止ロック３０が閉じられ、係止部３３が対向係止部３４に係合するまで、反対の旋回方向にこの工程が実施される。
【符号の説明】
【００２５】
１０  打込み機
１１  ハウジング
１２  駆動体案内部
１３  駆動体
１４  開口部
１５  ピン案内部
１７  旋回支承部
１８  支持ラック
１９  対向支持面
２０  マガジン
２１  結合部分
２２  支持面
２３  接合部
２４  案内通路
２５  第１狭幅側
２６  第２狭幅側
３０  係止ロック
３１  スライダ
３２  弾性素子
３３  係止部
３４  対向係止部
３５  係止位置
３６  ロック解除位置
５０  固定素子
７０  矢印
７１  旋回矢印
Ａ  ストッパ
α１  対向支持面の円弧角度
α２  支持面の円弧角度
Ｅ  面
Ｓ  旋回軸線
【図１】
0005268727.tif 000002
【図２】
0005268727.tif 000003
【図３】
0005268727.tif 000004